(57)【要約】【課題】３画面以上の多画面表示機能を搭載したユーザビリティのあるテレビジョン受信装置を提供する。【解決手段】このテレビジョン受信装置は、多画面機能を搭載し、１つの画面を複数の画面に分割指示する画面分割手段と、前記画面分割手段で指示された複数の画面に、入力された複数の映像を対応させて表示手段に出力する多画面処理手段と、複数の音声出力手段と、前記複数の音声出力手段のそれぞれに対応し、前記複数の画面のうちから音声を出力する画面を切り換えさせる音声切換手段と、前記複数の音声切換手段のいずれかで切り換えられた画面に対応する音声を選択して、当該音声切換手段に対応する前記音声出力手段へ出力する音声選択手段と、を備え、さらに、前記音声切換手段で切り換えられた画面には、切換手段の種類に応じた指標を表示するようにした。【選択図】図１
2008028785.tif 000002
【特許請求の範囲】
【請求項１】
多画面機能を搭載したテレビジョン受信装置において、１つの画面を複数の画面に分割指示する画面分割手段と、前記画面分割手段で指示された複数の画面に、入力された複数の映像を対応させて表示手段に出力する多画面処理手段と、複数の音声出力手段と、前記複数の音声出力手段のそれぞれに対応し、前記複数の画面のうちから音声を出力する画面を切り換えさせる音声切換手段と、前記複数の音声切換手段のいずれかで切り換えられた画面に対応する音声を選択して、当該音声切換手段に対応する前記音声出力手段へ出力する音声選択手段と、を備えることを特徴とするテレビジョン受信装置。
【請求項２】
請求項１に記載のテレビジョン受信装置において、前記音声選択手段は、前記音声出力手段に音声が出力されていない場合には、該音声出力手段の電源を切るようにしたことを特徴とするテレビジョン受信装置。
【請求項３】
請求項１または２に記載のテレビジョン受信装置において、前記複数の画面のうち操作対象とする画面を切り換える操作画面切換手段を備えることを特徴とするテレビジョン受信装置。
【請求項４】
請求項１乃至３のいずれかに記載のテレビジョン受信装置において、前記音声切換手段あるいは前記操作画面切換手段で切り換えられた画面には、切換手段の種類に応じた指標を表示することを特徴とするテレビジョン受信装置。
【請求項５】
請求項１乃至４のいずれかに記載のテレビジョン受信装置において、ネットワークに接続してウェブページを取得し、前記複数の画面のいずれかに表示するウェブブラウザと、前記ウェブブラウザが取得するウェブページに高精細なコンテンツを示す情報が含まれているかを判別する解像度判別手段とを備え、前記解像度判別手段で前記ウェブブラウザが取得するウェブページに高精細なコンテンツを示す情報が含まれると判別したときに、前記多画面処理手段では当該ウェブページを１画面表示として表示させるようにしたことを特徴とするテレビジョン受信装置。
【請求項６】
請求項１乃至５のいずれかに記載のテレビジョン受信装置において、前記ウェブブラウザを操作するキーとそれ以外のキーに種類分けすることによって、前記操作画面切換手段で操作対象の画面を切り換えることなく、ウェブブラウザの操作を行えることを特徴とするテレビジョン受信装置。
【請求項７】
請求項１乃至６のいずれかに記載のテレビジョン受信装置において、１画面表示および多画面表示と、他の画面表示へ移行するときに使われるキーとの関係を画面遷移状態として、ユーザ設定できるようにしたことを特徴とするテレビジョン受信装置。
【請求項８】
請求項１乃至７のいずれかに記載のテレビジョン受信装置において、電源をオフした際に表示されていた１画面あるいは多画面の表示内容を復元するための情報を不揮発性の記憶手段に記憶させ、電源オン時に、前記記憶手段から復元するための情報を取得して、電源オフの直前の１画面あるいは多画面の表示内容を復元させることを特徴とするテレビジョン受信装置。
【請求項９】
請求項１乃至７のいずれかに記載のテレビジョン受信装置において、電源をオフした際に操作対象となっていた画面の表示内容を復元するための情報を不揮発性の記憶手段に記憶させ、電源オン時に、前記記憶手段から復元するための情報を取得して、電源オフの直前の操作対象となっていた画面の表示内容を復元して１画面表示させることを特徴とするテレビジョン受信装置。
【請求項１０】
請求項１乃至７のいずれかに記載のテレビジョン受信装置において、電源をオフした際に表示されていたウェブブラウザ１画面あるいはウェブブラウザを含む多画面の表示内容にかかわらず、電源をオフした際に操作対象となっていたテレビ画面あるいは外部入力画面の表示内容を復元するための情報を不揮発性の記憶手段に記憶させ、電源オン時に、前記記憶手段から復元するための情報を取得して、電源オフの直前のテレビ画面あるいは外部入力画面の表示内容を復元させることを特徴とするテレビジョン受信装置。
【請求項１１】
請求項１乃至７のいずれかに記載のテレビジョン受信装置において、電源をオフした際に表示されていた１画面あるいは多画面の表示内容を復元するための情報を不揮発性の記憶手段に記憶させ、電源オン時に、前記記憶手段から復元するための情報を取得して、電源オフの直前の１画面あるいは多画面の表示内容を復元させるか、あるいは、電源をオフした際に操作対象となっていた画面の表示内容を復元するための情報を不揮発性の記憶手段に記憶させ、電源オン時に、前記記憶手段から復元するための情報を取得して、電源オフの直前の操作対象となっていた画面の表示内容を復元して１画面表示させるかの、いずれかをユーザに選択可能としたことを特徴とするテレビジョン受信装置。
【請求項１２】
請求項１乃至１１のいずれかに記載のテレビジョン受信装置において、３画面／２画面／１画面表示の中から起動画面をユーザに選択可能とし、電源をオフした際に表示されていた１画面あるいは多画面の表示内容を復元するための情報を不揮発性の記憶手段に記憶させ、電源オン時に、前記記憶手段から復元するための情報を取得して、前記起動画面に対応させて電源オフの直前の表示内容を復元させることを特徴とするテレビジョン受信装置。
【請求項１３】
請求項１２に記載のテレビジョン受信装置において、ウェブブラウザの１画面表示を前記起動画面として選択された場合、電源をオフした際に表示されていたウェブページを復元するためのＵＲＬ情報を不揮発性の記憶手段に記憶させ、電源オン時に、前記記憶手段から復元するためのＵＲＬ情報を取得して、電源オフの直前のウェブページを復元して１画面表示させることを特徴とするテレビジョン受信装置。
【発明の詳細な説明】
【技術分野】
【０００１】
本発明は、テレビジョン受信装置に関し、特に、多画面機能を搭載したテレビジョン受信装置に関する。
【背景技術】
【０００２】
近年、テレビジョン放送においては、放送形態がアナログからデジタルに移行しつつあるとともに、急速にチャンネル数が増加してきたため、複数のチューナから入力された複数の番組を複数画面に同時に表示する、いわゆる多画面表示が可能なデジタルテレビが提案されてきている。
【０００３】
また、一般家庭において、インターネットを介して外部ウェブサイトにアクセスして情報を画面表示させて閲覧を行なうということも広く普及してきている。
このような状況において、複数のデジタルテレビ放送番組の視聴と、インターネットのウェブページの閲覧とを同時に行える１台のテレビジョン受信機が提供されている。
【０００４】
このようなテレビジョン受信機にあっては、次のような問題点がある。
（１）多画面表示において、各画面の切り換えが簡単に行えない。
例えば、特許文献１では、テレビ番組とブラウザ画面の表示をそれぞれ単独で行うか、同時に複数画面表示で行うかを切り換えるように構成し、テレビ番組のみの表示に切り換えた場合、インターネット接続継続中を示す指標を画面表示している。さらに、複数の画面表示に切り換えた際に、各画面がいかなるものかを説明する指標と、音声が出力されている画面を示す指標を表示するように構成している。これにより、ウェブページ閲覧機能を備えたテレビジョン受像機において、テレビ番組とブラウザ画面の表示切換えを効率よく行えるようにしている。
しかしながら、特許文献１では、２画面にテレビ番組とウェブページ、あるいは、２つのテレビ番組を表示するときの切り換えであり、３画面以上の多画面における画面切り換えについては開示されていない。
【０００５】
（２）操作対象の主画面についてのみ入力操作が行える。
例えば、１つの画面にテレビ番組を表示し、他の画面にウェブページを表示し、主画面としてテレビ番組を表示していた場合、ウェブページに対して入力操作をするには、主画面をテレビ番組の画面からウェブページの画面へ切り換えて、入力操作を行ってから、再びテレビ番組の画面を主画面へ戻す、という操作を行わなければならず、操作が複雑なものとなっている。
【０００６】
（３）主画面の音声が再生される。
例えば、特許文献２では、ユーザの視線を検出し、ユーザが見ている画面の音声を出力している。この場合、ユーザが見ている画面以外の画面では音声が再生されない。
また、特許文献３では、主画面の音声をテレビのスピーカで出力し、副画面についてはヘッドホンに出力するようにし、同時に複数の画面の音声を再生するようにしている。しかし、この場合では、音声の出力先が固定されており、３画面以上の場合の用途には使えない。
【特許文献１】特開２００５−２１７９１９号公報
【特許文献２】特開２０００−２７８６２６号公報
【特許文献３】特開平９−９１６６号公報
【発明の開示】
【発明が解決しようとする課題】
【０００７】
本発明は、上述した実情を考慮してなされたものであって、３画面以上の多画面表示機能を搭載したユーザビリティのあるテレビジョン受信装置を提供することを目的とする。
【課題を解決するための手段】
【０００８】
上記の課題を解決するために、本発明のテレビジョン受信装置は、多画面機能を搭載したテレビジョン受信装置において、１つの画面を複数の画面に分割指示する画面分割手段と、前記画面分割手段で指示された複数の画面に、入力された複数の映像を対応させて表示手段に出力する多画面処理手段と、複数の音声出力手段と、前記複数の音声出力手段のそれぞれに対応し、前記複数の画面のうちから音声を出力する画面を切り換えさせる音声切換手段と、前記複数の音声切換手段のいずれかで切り換えられた画面に対応する音声を選択して、当該音声切換手段に対応する前記音声出力手段へ出力する音声選択手段と、を備えている。
これにより、操作対象の画面とは無関係に、しかも独立な複数の音声出力手段へ音声を出力することができる。
【０００９】
前記音声選択手段は、前記音声出力手段に音声が出力されていない場合には、該音声出力手段の電源を切るようにして、省電力化をはかることができる。
【００１０】
さらに、前記複数の画面のうち操作対象とする画面を切り換える操作画面切換手段を備えるようにして、音声切換とは独立に操作対象の画面を切り換えることができる。
この際、前記音声切換手段あるいは前記操作画面切換手段で切り換えられた画面には、切換手段の種類に応じた指標を表示するようにして、いずれの画面が操作対象かあるいは音声手段に出力されている画面が明確に区別することができる。
また、ウェブブラウザを操作するキーとそれ以外のキーに種類分けすることによって、前記操作画面切換手段で操作対象の画面を切り換えることなく、ウェブブラウザの操作を行うことができる。
【００１１】
また、ネットワークに接続してウェブページを取得し、前記複数の画面のいずれかに表示するウェブブラウザと、前記ウェブブラウザが取得するウェブページに、例えばフルＨＤのような高精細なコンテンツを示す情報が含まれているかを判別する解像度判別手段とを備え、前記解像度判別手段で前記ウェブブラウザが取得するウェブページにフルＨＤのような高精細なコンテンツを示す情報が含まれると判別したときに、前記多画面処理手段では当該ウェブページを１画面で表示させるようにした。
これにより、高品質のコンテンツも最適な画面サイズで表示することができる。
【００１２】
さらに、ある分割画面の種類から他の分割画面の種類へ変化する時のキーの種類（例えば、終了キー、２画面キー、操作切換キー、画面分割キー）をユーザに指定させて、画面遷移状態を生成するようにしてもよい。
これにより、画面分割の種類と入力キーとの関係をユーザが設定できるので、よりユーザビリティが向上する。
【００１３】
また、電源をオフした際に表示されていた１画面あるいは多画面の表示内容を復元するための情報を不揮発性の記憶手段に記憶させ、電源オン時に、前記記憶手段から復元するための情報を取得して、電源オフの直前の１画面あるいは多画面の表示内容を復元させるようにしてもよいし、あるいは、電源をオフした際に操作対象となっていた画面の表示内容を復元するための情報を不揮発性の記憶手段に記憶させ、電源オン時に、前記記憶手段から復元するための情報を取得して、電源オフの直前の操作対象となっていた画面の表示内容を復元して１画面表示させるようにしてもよい。
【００１４】
また、電源をオフした際に表示されていたウェブブラウザ１画面あるいはウェブブラウザを含む多画面の表示内容にかかわらず、電源をオフした際に操作対象となっていたテレビ画面あるいは外部入力画面の表示内容を復元するための情報を不揮発性の記憶手段に記憶させ、電源オン時に、前記記憶手段から復元するための情報を取得して、電源オフの直前のテレビ画面あるいは外部入力画面の表示内容を復元させるようにしてもよい。
これらのいずれかの表示画面復元方法をユーザに事前に選択可能としても良い。
【００１５】
あるいは、３画面／２画面／１画面表示の中から起動画面をユーザに選択可能とし、電源をオフした際に表示されていた１画面あるいは多画面の表示内容を復元するための情報を不揮発性の記憶手段に記憶させ、電源オン時に、前記記憶手段から復元するための情報を取得して、前記起動画面に対応させて電源オフの直前の表示内容を復元させるようにしてもよい。
ここで、ユーザにウェブブラウザの１画面表示を前記起動画面として選択された場合、電源をオフした際に表示されていたウェブページを復元するための情報を不揮発性の記憶手段に記憶させ、電源オン時に、前記記憶手段から復元するための情報を取得して、電源オフの直前のウェブページを復元して１画面表示させる。
【００１６】
また、上述した構成のテレビジョン受信装置の各手段として、コンピュータを機能させるためのプログラムを作成しておき、または、そのプログラムをコンピュータ読み取り可能な記録媒体に記録しておき、このプログラムをテレビジョン受信装置に備えられたコンピュータで実行することによっても上記課題を解決することができる。
【発明の効果】
【００１７】
本発明によれば、３画面以上の多画面機能を搭載したテレビジョン受信装置において、画面の切り換え、入力操作や音声出力の切換操作をユーザが確実に且つ簡単に行うことができるユーザビリティのあるテレビジョン受信装置を提供できた。
【発明を実施するための最良の形態】
【００１８】
以下、図面を参照して、本発明の実施形態について説明する。
図１は、本発明の実施形態に係るテレビジョン受信装置の概略構成を示す図であり、同図において、テレビジョン受信装置１００は、複数の入力部１１、ウェブブラウザ１２、解像度判別部１３、操作部１４、制御部１５、多画面処理部１６、ＯＳＤ処理部１７、表示部１８、音声選択部１９、スピーカ音声出力部２０、ヘッドホン音声出力部２１、記憶部２２を含んで構成されている。
【００１９】
また、このテレビジョン受信装置１００は、インターネットなどのネットワークに接続しており、当該装置に内蔵されたウェブブラウザを用いて、ネットワークに接続されたウェブサーバから放送番組に関連した情報等を取得して、放送番組とあわせて当該装置の画面に表示することもできる。
【００２０】
また、このテレビジョン受信装置１００は、複数の画面を同時に表示させることができ、複数の画面にそれぞれ異なる入力部１１により受信したテレビ番組の映像や、外部端子から入力された映像を表示させたり、ウェブブラウザの出力画面を表示させることができる。
【００２１】
例えば、表示手段の画面を分割して表示するときは、図２に示すように分割される。
図２（Ａ）は分割しない画面であり、以下、１つの画面で表示することを通常表示という。図２（Ｂ）および（Ｃ）は２画面に分割した例であり、図２（Ｄ）および（Ｅ）は３画面に分割した例であり、以下、複数の画面を表示することを多画面表示という。
【００２２】
この多画面表示の場合、ユーザが特定のキーを押すことによって、予め決められた２画面分割や３画面分割を選択するようにしてもよいし、分割画面の配置やサイズをテレビジョン受信装置側で自動的に行うようにしてもよい。
【００２３】
操作部１４は、テレビジョン受信装置１００の例えば前面パネルに設けられた複数のスイッチと、リモートコントローラとで構成され、ユーザがテレビジョン受信装置１００の機能の切換え、調整、動作設定等を行う際に操作されるものであり、入力情報は制御部１５へ転送される。
【００２４】
リモートコントローラは、一般に備えている、放送のチャンネル切換え、あるいは数字／文字データ入力時等に使用する数字キー、画面上の項目を選択するための矢印キーと決定キー、戻るキー、画面の案内にしたがって各種の選択を行うカラーキー（青赤緑黄）、さらに、音量調整キーや、電源をオン／オフするための電源キー等の他に次のキーをも有している。
【００２５】
２画面キーは、最初に押したときには通常表示から２画面表示に切り換え、再度押すことによって２画面表示から通常表示に切り換えるキーである。
終了キーは、現在の多画面表示を終了して、通常表示に切り換えるキーである。
【００２６】
操作画面切換キーは、多画面表示の際、押すたびに操作対象の画面を切り換えるキーである。例えば、図３に例示するように、２つのテレビ番組を表示する画面とウェブブラウザ画面の３画面が表示されているときに、操作画面切換キーを押すたびに、リモートコントローラのアイコンを表示し、そのアイコンが表示されている画面が操作対象となる。操作対象とすることにより、チャンネルの選択、画面調整や音量調整等の操作を行うことができる。上記のアイコンはリモートコントローラのアイコンに限られるものではなく、操作対象が判別できるような指標であればよい。
【００２７】
スピーカ音声切換キーは、スピーカから音声を出力する対象の画面を切り換えるキーである。例えば、図４に例示するように、２つのテレビ番組を表示する画面とウェブブラウザ画面の３画面が表示されているときに、スピーカ音声切換キーを押すたびに、スピーカのアイコンを表示し、そのアイコンが表示されている画面に対応する音声がスピーカに出力される。上記のアイコンはスピーカのアイコンに限られるものではなく、スピーカから音声が出力されていることが判別できるような指標であればよい。
【００２８】
ヘッドホン音声切換キーは、ヘッドホンから音声を出力する対象の画面を切り換えるキーである。例えば、図５に例示するように、２つのテレビ番組を表示する画面とウェブブラウザ画面の３画面が表示されているときに、ヘッドホン音声切換キーを押すたびに、ヘッドホンのアイコンを表示し、そのアイコンが表示されている画面に対応する音声がヘッドホンに出力される。上記のアイコンはヘッドホンのアイコンに限られるものではなく、ヘッドホンから音声が出力されていることが判別できるような指標であればよい。
【００２９】
これらのスピーカ音声切換キーとヘッドホン音声切換キーと、さらには、操作画面切換キーとが独立して操作できるので、片方のテレビ番組を視聴しながら、他方のテレビ番組の番組変更等ができる。
また、多画面表示した場合、どの画面に関する音声が出力されているかを示すための「アイコン」を表示するので、ユーザがどの画面に対する音声なのかが分かり易くなった。
【００３０】
画面分割キーは、多画面表示の形態を選択するためのキーである。この画面分割キーを押すと、例えば、図６に例示したような選択メニューが表示される。図６において、６０１は表示された選択メニューのタイトル「画面分割」、６０２は、通常表示の選択肢（図２（Ａ））、６０３は、テレビ番組を表示する画面とウェブブラウザ画面との２画面分割選択肢（図２（Ｂ）または（Ｃ））、６０４は、テレビ番組を表示する２つの画面とウェブブラウザ画面との３画面分割選択肢（図２（Ｄ）または（Ｅ））、６０５は、ウェブブラウザ画面の選択肢（図２（Ａ））を表している。
そして、ユーザは、操作部１４のカーソル移動を行い決定キーによって、この中から所望の項目を選択すると画面分割が行われる。
【００３１】
上記したキーは、操作した順番によって表示画面が異なってくる。図７は、押したキーと表示される画面との関係を示す図であり、この図７には５つの画面表示があり、四角で囲まれて示されたキーを押すことによって、矢印方向の画面が表示されることを示している。
【００３２】
また、図８は、この押したキーと５つの画面分割状態（テレビ番組の表示画面、２つのテレビ番組の表示画面、１つのテレビ番組の表示画面とウェブブラウザ画面、２つのテレビ番組の表示画面とウェブブラウザ画面、ウェブブラウザ画面）との関係を判断するための状態遷移図であり、図７の関係を詳細に表現したものである。この図８においても、丸印で囲まれた画面分割状態を丸で囲んで状態とし、この状態でキーを押したときにどのような判断をして、次の画面分割状態に遷移するのかを示している。
【００３３】
例えば、通常表示の画面のときに、２画面キーを押すと、２画面表示に切り換わる。
この２画面表示のときに、操作切換キーを押すたびに操作対象の画面が切り換わり、終了キーあるいは２画面キーを押すことによって通常表示の画面へ戻る。
また、画面分割キーを押すと、表示された項目から分割画面を選択することができる。
【００３４】
上記の画面遷移状態（１画面表示あるいは多画面表示から他の画面表示へ移行するときに使われるキーとの関係）をメニューによりユーザが設定できるようにしてもよい。
例えば、ユーザが画面遷移状態の設定をメニューで指定したときに、予め決めてあった分割画面の種類（例えば、上記の５つの画面分割状態）を提示し、ある分割画面の種類から他の分割画面の種類へ変化する時のキーの種類（例えば、終了キー、２画面キー、操作切換キー、画面分割キー）を指定させて、上記の画面遷移状態を生成するようにする。
【００３５】
さらに、本実施形態においては、ウェブブラウザを操作するキーとそれ以外のキーに種類分けすることによって、上記の操作切換キーを操作することなく、ウェブブラウザやテレビ番組を操作することができる。
例えば、ウェブブラウザで使用できるキーとして、数字キー、矢印キー、決定キー、戻るキー、カラーキーがある。これ以外のキーについては、テレビ番組を表示している画面で使用できる。
【００３６】
例えば、図９は２画面に分割され、左の画面はテレビ番組が表示され、右の画面にはウェブブラウザの表示がなされている。ここで、上述したようなウェブブラウザを操作するキーを押すことによって、ウェブブラウザの画面が操作対象となっていなくとも入力することができる。
また、ウェブブラウザを操作するキー以外のキー、例えば、チャンネルアップ／ダウンキーを押すことによって、操作対象となっていなくてもチャンネルを選局できる。
【００３７】
また、図１０はテレビ番組を表示する２つの画面とウェブブラウザの画面とに分割されている。この場合には、ウェブブラウザについては、上述したウェブブラウザを操作するキーによって直接操作ができるが、テレビ番組の操作には、操作画面切換キーによって操作対象を明示した上でウェブブラウザを操作する以外のキーを使って操作することになる。
以上のようなキーを備えるとともに、キーの操作できる機能範囲を限定することによって、操作対象を指定しなくとも、表示されている画面の中から操作を行うことができる。
【００３８】
制御部１５は、ＣＰＵ（Central Processing Unit）を備え、テレビジョン受信装置１００の全体の動作の制御、機能の調整等を実行するものであり、バスを介して入力部１１、ウェブブラウザ１２、操作部１４、多画面処理部１６、ＯＳＤ処理部１７、音声選択部１９、記憶部２２に接続されている。
制御部１５は、操作部１４で放送チャンネルの選局が行われると、操作対象となっている画面に対応する入力情報として選局チャンネルを記憶するとともに、操作対象となっている画面に対応する入力部１１のチューナへ選局チャンネルを通知する。
【００３９】
以下の説明で使用する表示状況テーブルについて説明する。表示状況テーブルは、記憶部２２に設けられ、図１１に例示するように、分割した画面数のエントリを有しており、各画面に対して、次のようなデータを記憶する。
【００４０】
画面ＩＤ：分割した画面を識別するための識別子である。
入力情報：表示される画像がどこから入力された情報であるかを示し、チャンネル番号（あるいは外部ファイル名）、あるいは、ＵＲＬが保持される。
画面位置：この画面がどの位置に表示されるのかを示す座標位置である。
画面サイズ：この画面の大きさを表す寸法であり、例えば画素単位で表される。
操作対象フラグ：この画面が操作対象である（「真」）か否（「偽」）かを示す区分情報である。
スピーカフラグ：この画面に対する音声データをスピーカに出力する（「真」）か否（「偽」）かを示す区分情報である。
ヘッドホンフラグ：この画面に対する音声データをヘッドホンに出力する（「真」）か否（「偽」）かを示す区分情報である。
高精細フラグ：この画面に表示されるウェブページのコンテンツが高精細であることを示す情報を含む（「真」）か否（「偽」）かを示す区分情報である。
【００４１】
記憶部２２は、揮発性メモリや不揮発性メモリからなり、不揮発性メモリには本装置の各種機能を実行するための各種アプリケーションプログラムの他、ＯＳＤ（On Screen Display）処理のための各種データ、チャンネル選局のためのデータ、多画面表示に関するデータ（例えば、表示状況テーブル、画面分割数、画面分割状態、画面の状態遷移等）等が保存され、揮発性メモリはワークメモリとして使う。
【００４２】
制御部１５は、操作部１４から送られてきた下記のキーに対しては、それぞれ次のような処理をする。
【００４３】
（１）２画面キー、終了キー、画面分割キーからの各種の選択：
これらのキーが入力されたことを操作部１４から受信すると、図８に示した状態遷移を参照して、次の画面分割状態を決定し、画面分割数や決定した画面分割状態を記憶部２２へ記憶する。画面分割状態が決定すると、各画面ごとに画面位置と画面サイズを計算し、記憶部２２に設けられた表示状況テーブルに記憶する。この画面分割は、表示される映像や画像データの画質やデータサイズを考慮して、なるべくウェブブラウザ画面のスクロールが少なくなるような比率で分割するようにする。
【００４４】
（２）操作画面切換キー：
操作画面切換キーが入力されたことを操作部１４から受信すると、表示状況テーブルを画面順に、操作対象フラグが「偽」の画面ＩＤを探し、その画面の操作対象フラグを「真」として、これまで「真」であった画面ＩＤの操作対象フラグを「偽」とする。操作対象フラグが「真」の画面がない場合には、表示状況テーブルに登録されている画面のうちから１つを選択して、その画面に対する操作対象フラグを「真」にする。
このように操作対象フラグが「真」の画面には、操作対象であることを示すアイコンを表示し、「偽」となった画面からはアイコンを消すようにＯＳＤ処理部１７へ通知する。
【００４５】
（３）スピーカ音声切換キー：
スピーカ音声切換キーが入力されたことを操作部１４から受信すると、表示状況テーブルを画面順に、スピーカフラグが「偽」の画面ＩＤを探し、その画面のスピーカフラグを「真」として、これまで「真」であった画面ＩＤのスピーカフラグを「偽」とする。スピーカフラグが「真」の画面がない場合には、表示状況テーブルに登録されている画面のうちから１つを選択して、その画面に対するスピーカフラグを「真」にする。
このようにスピーカフラグが「真」の画面には、スピーカから音声を出力していることを示すアイコンを表示し、「偽」となった画面からはアイコンを消すようにＯＳＤ処理部１７へ通知し、スピーカからの出力音声が変更となったことを音声選択部１９へ通知する。
【００４６】
（４）ヘッドホン音声切換キー：
ヘッドホン音声切換キーが入力されたことを操作部１４から受信すると、表示状況テーブルを画面順に、ヘッドホンフラグが「偽」の画面ＩＤを探し、その画面のヘッドホンフラグを「真」として、これまで「真」であった画面ＩＤのヘッドホンフラグを「偽」とする。ヘッドホンフラグが「真」の画面がない場合には、表示状況テーブルに登録されている画面のうちから１つを選択して、その画面に対するヘッドホンフラグを「真」にする。
このようにヘッドホンフラグが「真」の画面には、ヘッドホンから音声を出力していることを示すアイコンを表示し、「偽」となった画面からはアイコンを消すようにＯＳＤ処理部１７へ通知し、ヘッドホンからの出力音声が変更となったことを音声選択部１９へ通知する。
【００４７】
（５）電源オンおよびオフ：
テレビジョン受信装置１００の電源をオフした際に表示されていた１画面あるいは多画面に表示されていた表示内容を復元するための情報、即ち、電源オフ時の表示状況テーブル（これには、各分割画面に対する選局チャンネル、インターネット接続の場合のＵＲＬアドレス等が保持されている）、分割画面数、画面状態とを不揮発性の記憶部２２に記憶させておく。そして、電源オン時に、電源オフの直前の画面に表示されていた表示内容を復元させるための情報を記憶部２２から取得して、電源オフの直前の１画面あるいは多画面に表示されていた表示内容を復元させる。
【００４８】
あるいは、電源オフの時に、表示状況テーブルを参照して、操作対象となっていた画面の表示内容を復元するための情報（例えば、選局チャンネルやＵＲＬ等）を不揮発性の記憶部２２に記憶する。そして、電源オン時に、復元するための情報を記憶部２２から取得して、電源オフの直前の操作対象となっていた画面の表示内容（例えば、前回電源オフの直前に選局していたチャンネルの映像やウェブブラウザで表示されていたウェブページ等）を復元して１画面表示させるようにしてもよい。
さらに、電源をオフした際の上記の２つの方式をユーザが選択可能にしてもよい。
【００４９】
あるいはまた、電源がオンとなったときの起動画面を３画面／２画面／１画面表示の中からユーザに選択させるようにし、電源をオフした際に表示されていた１画面あるいは多画面の表示内容を復元するための情報を不揮発性の記憶部２２に記憶させる。
そして、電源オン時に、選択された起動画面に応じて記憶部２２から復元するための情報を取得して、起動画面に対応させた電源オフの直前の表示内容を復元させるようにしてもよい。
【００５０】
ここで、電源オフ時の画面数よりも起動画面の画面数が少ないときには、起動画面に対応可能な電源オフ時の画面の復元情報を用いて復元が行われる。
例えば、電源オフ時の画面が「２つのテレビ番組の表示画面とウェブブラウザ画面」であり、起動画面が「１つのテレビ番組の表示画面とウェブブラウザ画面」であれば、オフ時のテレビの主画面あるいは操作対象となっていたテレビ画面を電源オン時のテレビ画面として起動する。ウェブブラウザ画面については、電源オフ時に表示されていたウェブページを起動画面のウェブブラウザ画面に復元表示する。
【００５１】
また、電源オフ時の画面数よりも電源オン時の起動画面の画面数が多い場合には、復元する対応画面がなければ、その画面はクリーン表示とする。
また、ユーザがウェブブラウザ画面を１画面表示の起動画面として選択した場合、電源をオフした際に表示されていた画面（１画面表示であっても多画面表示であっても良い）のウェブページを復元するための情報（例えば、ウェブページのＵＲＬ）を記憶部２２に記憶させておき、電源オン時に、記憶部２２から復元するための情報を取得して、電源オフの直前のウェブページを１画面表示として復元させる。また、電源オフ時にウェブページを表示している画面がない場合には、電源オン時に所定のウェブページをウェブブラウザ画面に表示させるようにしても良い。
【００５２】
このように、前回と同じ画面や所定の画面が表示されるので、ユーザの戸惑いがなくなる。特に、起動画面として１つのテレビ番組の表示画面を選択しておけば、当該装置がテレビジョンであるから、電源オン時にはテレビ画面が表示されるとユーザが期待しているので自然な応答がなされる。
【００５３】
（６）上記以外のキー：
ウェブブラウザを操作するキーの場合には、入力したキーをウェブブラウザ１２へ転送する。チャネル選択のキーである場合には、操作対象となっている画面に対応する入力であるとして、対応する入力部１１へ通知する。
【００５４】
入力部１１は、チューナ、分離部および復号部により構成されており、複数の放送を同時に受信できる場合には、チューナ、分離部および復号部はそれぞれ同時に受信できる数だけ備えている。
【００５５】
この複数のチューナは、それぞれにより選局されたチャンネルの放送波を、アンテナを介して受信し、受信した放送波を復調し、さらに誤り訂正等の処理を施して、ＴＳ（Transport Stream）信号として、分離部に供給する。
分離部は、チューナ数に応じた数の分離部により構成され、ＴＳ（Transport Stream）信号を映像ストリーム、音声ストリーム、および、ＥＰＧ（Electronic Program Guide）情報に分離し、分離した映像ストリームおよび音声ストリームを復号部に供給する。
そして、復号部は、チューナ数に応じた数の復号部により構成され、音声ストリームを復号して非圧縮のデジタル音声データとして音声選択部１９に供給すると共に、映像ストリームを復号して非圧縮のデジタル映像データとして多画面処理部１６に供給する。
【００５６】
次に、インターネットにアクセスする場合には、インターネット選択の画面分割がなされると、制御部１５がネットワークに接続し、さらに、ウェブブラウザ１２を立ち上げ、予め登録されているＵＲＬ（Uniform Resource Locator）へアクセス処理を行なって、そのページを構成するデータを取り込んで、表示状況テーブルを参照して、画面分割された画面サイズとなるようにブラウザ画面を構築し、構築したブラウザ画面を多画面処理部１６に供給する。
【００５７】
ここで、多画面処理部１６は、解像度判別部１３からウェブページが高精細なコンテンツを示す情報を含んでいるとの通知を受けた場合には、画面サイズを表示手段の１画面分のサイズとなるようなブラウザ画面を構築する。
このように、高精細なコンテンツを示す情報を含んでいるウェブページ（例えば、フルＨＤのウェブコンテンツ）に移動した場合、通常表示の１画面に自動的に切り換えるようにしたので、ユーザの手を煩わせることなく最適な画像サイズで表示することができる。
【００５８】
解像度判別部１３は、ネットワークから取り込まれたウェブページのタグを解析して、ウェブページのコンテンツが高精細であることを示す情報（例えば、１９２０×１０８０画素の高精細のフルＨＤを示す情報）を含んでいると判断したときには、表示状況テーブルのウェブページを表示する画面の高精細フラグへ「真」を設定し、また、高精細なコンテンツであることを示す情報がなかった場合には、「偽」を設定する。この判断結果は、ウェブブラウザ１２および多画面処理部１６へ通知される。
【００５９】
ＯＳＤ処理部１７は、操作部１４から入力された操作入力信号に基づいて制御部１５から供給されたメニュー画面、アイコンやガイダンスなどのＯＳＤ表示の画像データを生成し、生成された画像データを多画面処理部１６に供給する。
【００６０】
多画面処理部１６は、表示状況テーブルのウェブページに該当する画面の高精細フラグが「偽」であるときには、入力部１１から供給された映像データを画面のサイズにあわせて解像度変換した画像データを生成し、これらの画像データと、ウェブブラウザ１２から供給されたブラウザ画面を、各画面の配置位置にあわせて１画面の画像データに合成するとともに、ＯＳＤ処理部１７から供給された画像データを指定された画面へ重畳し、表示手段の特性にあわせて変換し、表示部１８へ供給する。
また、多画面処理部１６は、表示状況テーブルのウェブページに該当する画面の高精細フラグが「真」であるときには、テレビ番組の映像があったとしても、ウェブページだけを表示手段の１画面に表示するようにする。
【００６１】
また、多画面処理部１６は、画面分割数が１の場合、即ち、分割がない場合には、テレビ番組の映像に関しては、入力部１１から供給された映像データを解像度変換した画像データを生成して、ＯＳＤ処理部１７から供給された画像データを重畳し、表示手段の特性にあわせて変換し、表示部１８へ供給する。あるいは、ウェブブラウザの画像に関しては、ウェブブラウザ１２から供給されたブラウザ画面にＯＳＤ処理部１７から供給された画像データを重畳し、表示手段の特性にあわせて変換し、表示部１８へ供給する。
【００６２】
表示部１８は、例えば、ＬＣＤ（Liquid Crystal Display）やＰＤＰ（Plasma Display Panel）等の表示手段からなり、多画面処理部１６から供給された画像データを表示手段へ出力する。
【００６３】
音声選択部１９は、制御部１５からスピーカからの出力音声が変更となったことを通知されると、表示状況テーブルを参照して、スピーカフラグが「真」の画面を探し、この画面に対応する入力部１１から供給された音声データをスピーカ音声出力部２０へ供給して、スピーカから音声を出力させる。
また、音声選択部１９は、制御部１５からヘッドホンからの出力音声が変更なったことを通知されると、表示状況テーブルを参照して、ヘッドホンフラグが「真」の画面を探し、この画面に対応する入力部１１から供給された音声データをヘッドホン音声出力部２１へ供給して、ヘッドホンから音声を出力させる。
【００６４】
音声選択部１９は、スピーカフラグが全て「偽」の場合、あるいは、所定時間の間スピーカに音声が出力されない場合には、スピーカと音声出力回路系統の電源を切るようにする。これにより、消費電力を下げることができる。
【００６５】
以上のような実施形態に係るテレビジョン受信装置を構成することにより、画面の切り換え、入力操作や音声出力の切換操作をユーザが確実に且つ簡単に行うことができるユーザビリティのある３画面以上の多画面機能を搭載したテレビジョン受信装置を提供できる。
【００６６】
なお、本発明の実施形態は、上記のテレビジョン受信装置の各機能をコンピュータプログラム化し、このコンピュータプログラムをテレビジョン受信装置へインストールして実行することでも実現される。また、このコンピュータプログラムを着脱可能な記録媒体に記録したり、ネットワークを介してダウンロードすることにより、移送が簡単になり容易に実施することができる。
【００６７】
尚、本発明は上述した実施形態に限定されず、本発明の要旨を逸脱しない範囲内で各種の変形、修正が可能であるのは勿論である。即ち、上記の実施形態では、多画面表示として２画面および３画面を採用していたが、４画面以上に分割した多画面表示にも同様に適用することができる。また、上記の実施形態では、ヘッドホンを用いて説明したが、勿論、イヤホンであっても同様に適用することができる。
【図面の簡単な説明】
【００６８】
【図１】本発明の実施形態に係るテレビジョン受信装置の概略構成を示す図である。
【図２】テレビジョン受信装置の画面を多画面へ分割した例である。
【図３】操作画面切換キーによって切り換えられた操作可能な画面の表示例である。
【図４】スピーカ音声切換キーによって切り換えられたスピーカに出力される音声と画面との関係を示す例である。
【図５】ヘッドホン音声切換キーによって切り換えられたヘッドホンに出力される音声と画面との関係を示す例である。
【図６】画面分割キーによって表示される選択メニュー例である。
【図７】押したキーと表示される画面との関係を示す図である。
【図８】押したキーと画面の状態との関係を判断するための状態遷移図である。
【図９】２画面表示で、テレビとウェブブラウザで操作可能なキーの種類を説明する図である。
【図１０】３画面表示で、テレビとウェブブラウザで操作可能なキーの種類を説明する図である。
【図１１】表示状況テーブルが保持するデータ項目とそのデータ例である。
【符号の説明】
【００６９】
１００…テレビジョン受信装置、１１…入力部、１２…ウェブブラウザ、１３…解像度判別部、１４…操作部、１５…制御部、１６…多画面処理部、１７…ＯＳＤ処理部、１８…表示部、１９…音声選択部、２０…スピーカ音声出力部、２１…ヘッドホン音声出力部、２２…記憶部。
【図１】
2008028785.tif 000003
【図２】
2008028785.tif 000004
【図３】
2008028785.tif 000005
【図４】
2008028785.tif 000006
【図５】
2008028785.tif 000007
【図６】
2008028785.tif 000008
【図７】
2008028785.tif 000009
【図８】
2008028785.tif 000010
【図９】
2008028785.tif 000011
【図１０】
2008028785.tif 000012
【図１１】
2008028785.tif 000013